(57)【要約】【課題】基板収納ケースを密封した場合、接続用コネクタと基板収納ケースの隙間からの基板収納ケースの内部に収納された主基板への不正行為を防止すると同時に、接続用コネクタを外した場合に生じる隙間からの不正行為を防止する。【解決手段】台板１６とカバー体１８とを封印部材１６ｄ，１８ｃにより内部に主基板１７を密封し、ハーネス４４を貫通させることができ、かつ接続用コネクタ４５を通過させることができない大きさの貫通孔２１ａを備えたスペーサ２１を、開口１８ｆに脱着可能となるように設け、スペーサ２１を開口１８ｆから取り外すことにより、入出力用コネクタ１７ｃから接続用コネクタ４５が取り外し可能となる。【選択図】        図４
2006212063.tif 000002
【特許請求の範囲】
【請求項１】
入出力用コネクタを有し、遊技機の遊技状態を制御する主基板と、
該主基板を覆うカバー体と、
該カバー体と密封部材により結合される台板と、を備え、
前記カバー体と該台板の結合により、前記カバー体内に前記主基板を密封し、
前記カバー体には前記入出力用コネクタに対応して形成される第１開口部を設け、
前記第１開口部を介して、ハーネスを有する接続用コネクタを、前記入出力用コネクタに挿脱させる基板収納ケースにおいて、
前記ハーネスを貫通させることができ、かつ前記接続用コネクタを通過させることができない大きさの第２開口部を備えたスペーサを、前記第１開口部に脱着可能となるように設け、
前記スペーサを前記第１開口部から取り外すことにより、前記入出力用コネクタから前記接続用コネクタが取り外し可能となることを特徴とする遊技機の基板収納ケース。
【請求項２】
前記第１開口部に設けられた前記スペーサの取り外しを、前記基板収納ケースの外部から行うことを防ぐ取り外し防止部を前記スペーサに備え、
前記密封部材を破損し密封を解除した後、前記台板と前記カバー体とを開封することにより、前記第１開口部からの前記スペーサの取り外しが可能となることを特徴とする請求項１に記載の遊技機の基板収納ケース。
【請求項３】
前記スペーサは、前記第１開口部から前記スペーサが取り外された状態において、前記スペーサの外部から前記第２開口部へ前記ハーネスを導くための通路を有することを特徴とする請求項１または２に記載の遊技機の基板収納ケース。
【請求項４】
前記第１開口部に設けられた前記スペーサと、前記入出力用コネクタに接続された前記接続用コネクタとが近接することを特徴とする請求項１ないし３のいずれか１つに記載の遊技機の基板収納ケース。
【発明の詳細な説明】
【技術分野】
【０００１】
本発明は、パチンコ遊技機やスロットマシンなどの遊技機に取り付けられ、その遊技動作を制御するための基板を収納する遊技機の基板収納ケースに関するものである。
【背景技術】
【０００２】
近年、遊技動作を制御する基板のＲＯＭを勝手に改造するといった不正行為が頻発しており、これを防止するため、特許文献１、２に記載のように、遊技制御基板等の基板を基板収納ケース内部に密封し、基板収納ケースを開封しない限り外部からＲＯＭを交換することができないようにしている。さらに、該密封手段は、特許文献１に示される結合部１１，１２，１７，１８、特許文献２に示される固定ねじ（ワンウェイビス）４１などのように、かしめ手段が採用されているため、不正行為が行われた場合には直ちに分かるようになっている。
【０００３】
また、特許文献２に記載された発明は、カバー体１８と一体に設けられたコネクタ・カバー部３７を備え、各入出力用コネクタ２８に接続用コネクタ４５を差し込むことができるように該コネクタ・カバー部３７に開口３８を設けている。
【特許文献１】特開２００４−８２９１号公報
【特許文献２】特開平１１−９００１０号公報
【発明の開示】
【発明が解決しようとする課題】
【０００４】
しかしながら、特許文献１、２は、基板収納ケースを開封してＲＯＭを改造するといった不正行為を防止することはできるが、開口３８からの不正行為の防止には依然として問題が残る。即ち、ワンウェイビス４１等により回路基板１７を密封する構成では、開口３８から接続用コネクタ４５を差し込むことから、接続用コネクタ４５の差し込み易さや種々の形状の接続用コネクタ４５を差し込むことができるように、開口３８の大きさを接続用コネクタ４５のハウジング４５ｂの大きさよりも少し大きく設ける必要がある。そのため、開口３８に隙間（コネクタ・カバー部３７と接続用コネクタ４５との間の隙間）が発生し易くなり、図１３（ａ）に示すように、該コネクタ・カバー部３７と接続用コネクタ４５との間の隙間から内部に工具等を挿入して（図１３（ａ）矢印）回路基盤１７が不正改造される可能性が生じる。また、開口３８を小さくすることにより、接続用コネクタ４５を入出力用コネクタ２８に接続した状態における該隙間を不正行為が困難な程度に小さくしたとしても、接続用コネクタ４５を入出力用コネクタ２８から外した場合には、該接続用コネクタ４５が接続されていた場所に隙間（コネクタ・カバー部３７と入出力用コネクタ２８との間の隙間）が発生し、該隙間から不正改造がなされ得る（図１３（ｂ）矢印）。
【０００５】
本発明は上記に鑑みてなされたもので、遊技制御基板等の基板を基板収納ケース内部に密封した場合において、コネクタと基板収納ケースの隙間からの基板収納ケースの内部に収納された基板への不正行為を防止すると同時に、コネクタを外した場合に生じる隙間からの不正行為を防止することを目的とするものである。
【課題を解決するための手段】
【０００６】
上記目的を達成するため、請求項１に記載の遊技機の基板収納ケースは、入出力用コネクタを有し、遊技機の遊技状態を制御する主基板と、該主基板を覆うカバー体と、該カバー体と密封部材により結合される台板と、を備え、前記カバー体と該台板の結合により、前記主基板を前記カバー体内に密封し、前記カバー体には前記入出力用コネクタに対応して形成される第１開口部を設け、前記第１開口部を介して、ハーネスを有する接続用コネクタを、前記入出力用コネクタに挿脱させる基板収納ケースにおいて、前記ハーネスを貫通させることができ、かつ前記接続用コネクタを通過させることができない大きさの第２開口部を備えたスペーサを、前記第１開口部に脱着可能となるように設け、前記スペーサを前記第１開口部から取り外すことにより、前記入出力用コネクタから前記接続用コネクタが取り外し可能となることを特徴とする。これにより、「接続用コネクタ」と「基板収納ケース」との間の隙間が形成されないまたは該隙間が減少されるように作用する。また、前記隙間とは、「主基板」に対して不正行為を為し得る「接続用コネクタ」と「基板収納ケース」との間の空間を示す（図１３参照）。
【０００７】
ここで、「主基板」とは主制御基板と賞球制御基板のうち少なくとも一方を含む基板である。「密封部材」は密封を解除するために該密封部材を破損する必要があるものが好ましく、例えばワンウェイネジ、締結ピン等が挙げられる。「カバー体内に主基板を密封し」とは密封されたカバー体と台板とによって囲まれた空間に、主基板が収納された状態を示す。「第１開口部」は入出力用コネクタと接続コネクタの接続のための開口（貫通孔）を備えたものである。「第２開口部」はハーネスを貫通させるための開口であり、スペーサに形成されるものである。「第１開口部」および「第２開口部」は通常は方形であるが、これに限定されるわけではない。「スペーサ」は合成樹脂等で形成され、第１開口部に設けることができる形状であればよく、例えば方形等が挙げられる。「スペーサ」を「第１開口部」に設ける方法は、スペーサを第１開口部に脱着可能に設けることができれば、スナップフィット接合でもよいしねじ固定等でもよい。
【０００８】
また、「前記ハーネスを貫通させることができ、かつ前記接続用コネクタを通過させることができない大きさ」とは、第２開口部にハーネスを貫通させることができ、また第２開口部に接続用コネクタを通過させることができない構成であれば、第２開口部の大きさや形状は特に限定されない。
【０００９】
請求項２に記載の遊技機の基板収納ケースは、前記第１開口部に設けられた前記スペーサの取り外しを、前記基板収納ケースの外部から行うことを防ぐ取り外し防止部を前記スペーサに備え、前記密封部材を破損し密封を解除した後、前記台板と前記カバー体とを開封することにより、前記第１開口部からの前記スペーサの取り外しが可能となることを特徴とする。
【００１０】
ここで、上記「取り外し防止部」とは、例えば、スペーサを第１開口部に嵌合した場合にスペーサを第１開口部にロックし、基板収納ケースの内側からのみ該ロックを解除することができる部材などが挙げられる。
【００１１】
請求項３に記載の遊技機の基板収納ケースは、前記スペーサは、前記第１開口部から前記スペーサが取り外された状態において、前記スペーサの外部から前記第２開口部へ前記ハーネスを導くための通路を有することを特徴とする。
【００１２】
ここで、「スペーサの外部」とは、樹脂形成等されたスペーサの外縁より外側を示し、「スペーサの外部」にハーネスがある場合にはハーネスが第２開口部を貫通していない状態となる。「第２開口部へハーネスを導く」とは、ハーネスが「通路」を通過して、第２開口部を貫通している状態にすることを示す。
【００１３】
上記「通路」の設置位置は、ハーネスが通ることができる位置であれば特に限定されないが、ハーネスが通過し易いよう設けることが好ましい。また、「通路」から不正行為が行われ得るため、前記通路の通路幅をできるだけ小さく設けかつ前記通路の経路が長くならないように設けることが好ましい。ここで、通路の経路が長くならないようにするため、スペーサのサイズを小さくしてもよい。例えば、通路をスペーサの短手方向に設ける場合には、スペーサを短手方向に小さくすることで通路の経路の長さを短くすることができ好適である。
【００１４】
請求項４に記載の遊技機の基板収納ケースは、前記第１開口部に設けられた前記スペーサと、前記入出力用コネクタに接続された前記接続用コネクタとが近接することを特徴とする。
【００１５】
ここで、上記「近接」とは、例えば第１開口部に設けられたスペーサと入出力用コネクタに接続された接続用コネクタとの間の距離が、接続用コネクタを入出力用コネクタから取り外すことが困難な程度に近い状態などが挙げられ、前記スペーサと前記接続用コネクタが密着した状態をも含むものである。
【発明の効果】
【００１６】
請求項１の発明によれば、ハーネスを貫通させることができ、かつ接続用コネクタを通過させることができない大きさの第２開口部を備えたスペーサを、第１開口部に設ける構成としたため、接続用コネクタと基板収納ケースとの間の不正行為を為し得る隙間を無くす又は減少させることが可能となる。これにより、接続用コネクタと基板収納ケースの隙間からの主基板への不正行為を防止することができる。また、スペーサを第１開口部から取り外すことにより、接続用コネクタが入出力用コネクタから取り外し可能となる構成としたため、接続用コネクタを入出力用コネクタから取り外すために要する時間が長くなる。そのため、接続用コネクタを取り外すことによって行われる不正行為、即ち接続用コネクタを取り外した場合にできる隙間からの不正行為を抑制することができる。したがって、上記構成により、接続用コネクタと基板収納ケースの隙間からの不正行為を防止すると同時に、接続用コネクタを取り外した場合にできる隙間からの不正行為を防止することができる。
【００１７】
請求項２の発明によれば、第１開口部に設けられたスペーサの取り外しを、基板収納ケースの外部から行うことを防ぐ取り外し防止部をスペーサに備え、密封部材を破損して密封を解除し、台板とカバー体とを開封することにより、スペーサが第１開口部から取り外し可能となる構成としたため、接続用コネクタを取り外すためには、密封部材を破損して密封を解除し、台板とカバー体とを開封して、基板収納ケースの内部からスペーサを取り外さなければならない。これにより、接続用コネクタを取り外すために要する時間がより長くなり、接続用コネクタを取り外して行われる不正行為を抑制することができる。また、密封部材が解除された（切られた）痕跡が残るため、不正行為が行われたことを早期に発見することができる。
【００１８】
請求項３の発明によれば、スペーサは、第１開口部からスペーサが取り外された状態において、スペーサの外部から第２開口部へハーネスを導くための通路を有する構成としたため、既存の基板収納ケースに前記スペーサを容易に採用することができる。
【００１９】
請求項４の発明によれば、第１開口部に設けられたスペーサと、入出力用コネクタに接続された接続用コネクタとが近接する構成としたため、接続用コネクタと基板収納ケースの隙間からの不正行為を防止すると同時に、接続用コネクタ４５の取り外しが困難であるため、接続用コネクタを取り外した場合にできる隙間からの不正行為を防止することができるという請求項１の効果をより確実に発揮することができる。
【００２０】
また、第１開口部に設けられたスペーサと入出力用コネクタに接続された接続用コネクタとが密着している場合には、接続用コネクタと基板収納ケースとの間の不正行為を為し得る隙間を完全に無くすことが可能となる。これにより、接続用コネクタと基板収納ケースの隙間からの基板への不正行為を無くすことができる。
【発明を実施するための最良の形態】
【００２１】
以下、本発明に係る遊技機における基板収納ケースの実施形態１〜３を図面と共に説明する。なお、遊技機にはパチンコ遊技機、スロットマシン等が有るが、その一例としてパチンコ遊技機について説明する。まず、実施形態１の基板収納ケース１４について説明する。図１は本発明が適用されるパチンコ遊技機の裏面図である。図中、１は機枠であり、該機枠１に装着される前面枠２の裏面に遊技盤取付枠３が固着され、該遊技盤取付枠３に遊技盤４が装着されている。そして、遊技盤取付枠３の一側には遊技盤４の裏面全体を覆う合成樹脂製の機構板５が開閉自在に装着されている。
【００２２】
前記機構板５の裏面にはその上部にパチンコ球を貯留する景品球タンク６、該景品球タンク６から流下するパチンコ球を整列流下させるタンクレール７、またその一側部に該タンクレール７から流下する景品球の球圧を弱めるカーブ樋８、該カーブ樋８からパチンコ球を受け入れる景品球払出装置９、該景品球払出装置９から払い出された所定個数のパチンコ球を誘導する景品球排出樋１０等がそれぞれ配設されている。
【００２３】
また、前記機構板５のほぼ中央に窓口１１が開設され、該窓口１１に臨んで前記遊技盤４の裏面と対応する機構板５の前側に入賞球集合カバー（図示略）が設けられ、該入賞球集合カバーの裏面に突設した取付台１３に本発明に係わる基板収納ケース１４が装着されている。なお、１５は遊技盤４面に設けられた可変表示装置（図示略）の後方部分を覆い保護する保護カバーである。
【００２４】
前記基板収納ケース１４は、図２及び図３に示すように前記取付台１３に取り付けられる台板１６と、該台板１６の前面に固着されパチンコ遊技機の遊技状態を制御する主基板１７と、前記台板１６とほぼ同じ大きさからなり主基板１７を覆うようにして台板１６に取り付けられる箱状のカバー体１８とからなる。ここで、本実施形態において主基板１７は主制御基板および賞球制御基板を含む基板である。
【００２５】
前記台板１６は主基板１７に合致する縦長長方形の透光性合成樹脂板１６ａからなり、該透光性合成樹脂板１６ａの四隅角部には主基板１７を固定するための突起部１６ｂが設けられている。透光性合成樹脂板１６ａの上下両側端縁の左端には、台板１６とカバー体１８を接続するための先端が矢じり型となっている接続板１６ｃが備えられている。また、同じく透光性合成樹脂板１６ａの上下両側端縁のほぼ中央から右端にかけて複数（ここでは４個）の封印部材（密封部材）１６ｄが設けられている。該複数の封印部材１６ｄは、後述するカバー体１８に設けられた複数（ここでは４個）の封印部材（密封部材）１８ｃとそれぞれ１対の封印部材（密封部材）１６ｄ，１８ｃを形成する。該封印部材１６ｄと封印部材１８ｃとは各々互いに嵌合可能に形成されている。
【００２６】
また、前記主基板１７は周知のように縦長長方形をなすプリント配線基板よりなり、その上面に各電子部品１７ａが関連付けられて配置されている。主基板１７の四隅角部には前記台板１６の突起部１６ｂを差し込むための止着孔１７ｂが貫設されている。また、主基板１７の一側には複数（ここでは５個）の入出力用コネクタ１７ｃが列設されている。該入出力用コネクタ１７ｃは、ハーネス４４を有する接続用コネクタ４５と接続される。
【００２７】
更に、前記カバー体１８は透光性の合成樹脂材からなり、台板１６の透光性合成樹脂板１６ａに対応した形状をなす表板１８ａの上下両側端縁左端に、前記接続板１６ｃを挿入するための差し込み部１８ｂを設けている。また、表板１８ａの上下両側端縁のほぼ中央から右端にかけて、前述した複数の円柱状の封印部材１８ｃが備えられている。
【００２８】
また、カバー体１８の左側壁１８ｄはその先端縁部に外方へ膨出する段部を有し前記主基板１７の一側に列設した各入出力用コネクタ１７ｃに被着されるコネクタ・カバー部１８ｅが一体的に形成されている。該コネクタ・カバー部１８ｅの上面には各入出力用コネクタ１７ｃに対応させて複数（ここでは５個）の開口（第１開口部）１８ｆが方形に開設されている。開口１８ｆは、対応する接続用コネクタ４５および入出力用コネクタ１７ｃの形状に合わせた形になっており、また該対応する接続用コネクタ４５のハウジング４５ｂよりも大きく開設されている（図１３参照）。よって、開口１８ｆを介して接続用コネクタ４５を入出力用コネクタ１７ｃに接続する際、接続が容易となり、また種々の形状をした接続用コネクタ４５を差し込むことが可能となっている。
【００２９】
本発明に係る基板収納ケース１４は上記構成よりなり、まず前記主基板１７を台板１６の透光性合成樹脂板１６ａの前面に重ね、各突起部１６ｂを各止着孔１７ｂに差し込み主基板１７を台板１６に固着する。次に、前記主基板１７を覆うようにして台板１６にカバー体１８を被せながら、接続板１６ｃを差し込み部１８ｂに挿入する。そして、前記台板１６の封印部材１６ｄと前記カバー体１８の封印部材１８ｃが互いに嵌合され、さらに封印部材１８ｃの上部から抜脱不能な固定ねじ１８ｇを螺締することによって、台板１６にカバー体１８を固定する。これにより主基板１７がカバー体１８内に密封される。そこで、この状態では各固定ねじ１８ｇが外せないことから、不正行為を行うには封印部材１６ｄ，１８ｃを無理に破断することとなり、その痕跡が明らかに残ってしかもその隠蔽も極めて困難であるため不正行為が行いにくい。また、その不正行為は容易に発見でき責任の所在も明確化される。
【００３０】
ここで、前記基板収納ケース１４は基板収納ケースの製造メーカーから遊技機製造メーカーに納入され、該遊技機製造メーカーで主基板１７を基板収納ケース１４に収め、更に固定ねじ１８ｇで基板収納ケース１４を密封する。そして、密封された基板収納ケース１４はパチンコ遊技機の裏面に装着され、可変表示装置など各種部品から引き出されるハーネス４４先端の接続用コネクタ４５がコネクタ・カバー部１８ｅの各開口１８ｆを介して各入出力用コネクタ１７ｃに接続されることとなる。
【００３１】
また、図４に示すように、前記各開口１８ｆには合成樹脂で形成されたスペーサ２１が装着される（図４（ａ）参照）。該スペーサ２１の周縁部と開口１８ｆの周縁部とは互いに密着した状態で係合され、スペーサ２１と接続用コネクタ４５とは近接して配置されている。
【００３２】
また、スペーサ２１の上下両側端縁には先端が矢じり型のフック部２１ｂ（取り外し防止部）を備えており、該フック部２１ｂの先端がコネクタ・カバー部１８ｅの裏面に形成された凸部に係止されることによって、スペーサ２１を基板収納ケース１４の外部から取り外せないような構成となっている。よって、スペーサ２１を開口１８ｆから取り外すためには、封印部材１６ｄ，１８ｃを破断し、台板１６とカバー体１８とを開封しなければならない。ここで、フック部２１ｂはスペーサ２１の上下両側端縁に設ける構成に限らず、左右両側端縁等に設ける構成としてもよい。
【００３３】
スペーサ２１は正面から見ると開口１８ｆの形状に対応して方形となっている（図４（ｂ）参照）。ここで、該スペーサ２１の形状は方形に限らず、開口１８ｆの形状に対応した形状であればよい。また、スペーサ２１の中央部には、ハーネス４４が貫通できるように貫通孔（第２開口部）２１ａが方形に開設されている。該貫通孔２１ａの開口面積（スペーサ２１の開口している部分において、後述する通路２１ｃ以外の部分の面積）は、接続用コネクタ４５のハウジング４５ｂにおける長手方向（接続用コネクタ４５の接続方向に対して垂直方向）の断面積（図４（ｂ）の点線長方形で囲まれた面積）よりも小さく、ハーネス４４の該方向の断面積４４ｂよりも大きくなっている。これにより、貫通孔２１ａにハーネス４４を貫通させ、かつ貫通孔２１ａから接続用コネクタ４５を通過させることができないようにし、またスペーサ２１を開口１８ｆから取り外さない限り、接続用コネクタ４５は入出力用コネクタ１７ｃから取り外せないようにしている。
【００３４】
さらに、スペーサ２１の左下部には、スペーサ２１をハーネス４４に取り付けるための通路２１ｃを設けている。該通路２１ｃは、貫通孔２１ａの周縁部左側中央部からスペーサ２１の周縁部左下部に向かって傾斜して設けられており、その通路幅２１ｄはハーネス４４の短手方向の幅４４ｃより少し大きく設けられている。ここで、通路２１ｃを設ける位置は、スペーサ２１の左下部に限定されず、適宜の場所に設けてもよい。
【００３５】
また、通路２１ｃを設けることにより不正行為が行われ得る隙間が生じるため、通路幅２１ｄはハーネス４４が通ることのできる程度の幅であることが好ましい。なお、開口１８ｆの短手方向の幅を小さく設け、該開口１８ｆに装着するスペーサ２１の短手方向の幅を小さくすることによって、通路２１ｃの経路の長さを小さくすることができ、不正行為が行われ得る隙間を減少させることができる。また、スペーサ２１の短手方向の幅を接続用コネクタ４５のハウジング４５ｂと同一幅とすることで、不正行為が行われ得る隙間を無くすことも可能となる。
【００３６】
次に、図５および図６を用いて、スペーサ２１および接続用コネクタ４５の接続について詳細に説明する。図５は、接続用コネクタ４５を入出力用コネクタ１７ｃへ接続する手順について示した図である。先ず、図５（ａ）および（ｂ）に示すように、スペーサ２１の貫通孔２１ａにハーネス４４が貫通している状態で、コネクタ・カバー部１８ｅの開口１８ｆを介して、接続用コネクタ４５を入出力用コネクタ１７ｃに接続する。ここで、開口１８ｆの開口面積はハウジング４５ｂの長手方向の断面積より少し大きく設けている。
【００３７】
次に、スペーサ２１を開口１８ｆの方向へハーネス４４に沿って移動させる。スペーサ２１の貫通孔２１ａの開口面積は、ハーネス４４の断面積よりも大きく開設しているため上記移動が容易となっている。続いて、スペーサ２１を開口１８ｆに嵌め込み装着する（図５（ｃ）参照）。上述のように、スペーサ２１にはフック部２１ｂが備えられているため、スペーサ２１を開口１８ｆに嵌め込むことにより、スペーサ２１を基板収納ケース１４の外部から取り外せないようロック状態となる。
【００３８】
上記接続手順によって、接続用コネクタ４５の差し込み易さや種々の形状の接続用コネクタ４５を差し込むことができるといった従来の基板収納ケース１４の効果を有しつつ、スペーサ２１を開口１８ｆへ装着することができる。
【００３９】
また、スペーサ２１および接続用コネクタ４５の取り外しについては、上記接続手順と逆の手順によって取り外しが行われる。具体的には、スペーサ２１と接続用コネクタ４５とは近接しているため（図５（ｃ）参照）、スペーサ２１を開口１８ｆに装着した状態では、接続用コネクタ４５を入出力用コネクタ１７ｃから取り外すことはできない。そのため、先ずスペーサ２１を開口１８ｆから取り外す。ここで、スペーサ２１にはフック部２１ｂが備えられているため、開口１８ｆからのスペーサ２１の取り外しは、封印部材１６ｄ，１８ｃを破損して密封を解除し、台板１６とカバー体１８とを開封して、基板収納ケース１４の内部から行わなければならない。そして、スペーサ２１を開口１８ｆから取り外した後は、スペーサ２１を開口１８ｆから遠ざける方向へ移動させて（図５（ｂ）参照）、接続用コネクタ４５を入出力用コネクタ１７ｃから取り外す（図５（ａ）参照）。
【００４０】
続いて、スペーサ２１をハーネス４４に取り付ける手順について図６を用いて説明する。図６は、スペーサ２１および接続用コネクタ４５の平面図と、該平面図におけるスペーサ２１および接続用コネクタ４５の位置関係に対応したスペーサ２１の正面図および接続用コネクタ４５の断面図である。取り付ける手順として先ず、スペーサ２１の外部にあるハーネス４４を（図６（ａ）参照）、スペーサ２１の左下部に設けられている通路２１ｃに挿入する。ここで、通路２１ｃの通路幅２１ｄはハーネス４４の短手方向の幅４４ｃよりも少し大きい程度に設けられているため、ハーネス４４の短手方向の面を向けて該ハーネス４４を通路２１ｃに挿入し、通路２１ｃに沿ってスライドさせる（図６（ｂ）参照）。そして、ハーネス４４を貫通孔２１ａに導き、ハーネス４４が貫通孔２１ａに貫通した状態となる（図６（ｃ）参照）。その後のスペーサ２１および接続用コネクタ４５の接続は上記図５に示す通りである。
【００４１】
また、スペーサ２１をハーネス４４から取り外す手順については、上記と逆の手順によって行われる。該取り外し手順は、スペーサ２１が開口１８ｆから取り外された状態で行われ（図６（ｃ）参照）、具体的には貫通孔２１ａに貫通しているハーネス４４を通路２１ｃに沿ってスライドさせて、スペーサ２１の外部に移動させることにより、スペーサ２１をハーネス４４から取り外すことができる（図６（ａ），（ｂ）参照）。なお、スペーサ２１が開口１８ｆに装着されている状態では、スペーサ２１をハーネス４４から取り外すことはできない。
【００４２】
以上、本実施形態においては、ハーネス４４を貫通させることができ、かつ接続用コネクタ４５を通過させることができない大きさの貫通孔２１ａを備えたスペーサ２１を、開口１８ｆに設ける構成としたため、接続用コネクタ４５と基板収納ケース１４との間の不正行為を為し得る隙間を減少させることが可能となる。これにより、接続用コネクタ４５と基板収納ケース１４の該隙間からの主基板１７への不正行為を防止することができる。また、スペーサ２１を開口１８ｆから取り外すことにより、接続用コネクタ４５が入出力用コネクタ１７ｃから取り外し可能となる構成としたため、接続用コネクタ４５を入出力用コネクタ１７ｃから取り外すために要する時間が長くなる。そのため、接続用コネクタ４５を取り外すことによって行われる不正行為、即ち接続用コネクタ４５を取り外した場合にできる隙間からの不正行為を抑制することができる。したがって、上記構成により、接続用コネクタ４５と基板収納ケース１４の隙間からの不正行為を防止すると同時に、接続用コネクタ４５を取り外した場合にできる隙間からの不正行為を防止することができる。
【００４３】
また、スペーサ２１にフック部２１ｂを備え、封印部材１６ｄ，１８ｃを破損して密封を解除し、台板１６とカバー体１８とを開封することにより、スペーサ２１が開口１８ｆから取り外し可能となる構成としたため、接続用コネクタ４５を取り外すためには、封印部材１６ｄ，１８ｃを破損して密封を解除し、台板１６とカバー体１８とを開封して、スペーサ２１を開口１８ｆから取り外さなければならない。これにより、接続用コネクタ４５を取り外すために要する時間がより長くなり、接続用コネクタ４５を取り外して行われる不正行為を抑制することができる。また、封印部材１６ｄ，１８ｃが解除された痕跡が残るため、不正行為が行われたことを早期に発見することができる。
【００４４】
また、スペーサ２１は、開口１８ｆからスペーサ２１が取り外された状態において、スペーサ２１の外部から貫通孔２１ａへハーネス４４を導くための通路２１ｃを有する構成としたため、既存の基板収納ケースにスペーサ２１を容易に採用することができる。
【００４５】
また、スペーサ２１は、スペーサ２１の外部から貫通孔２１ａへハーネス４４を導くための通路２１ｃを有し、ハーネス４４をスペーサ２１の貫通孔２１ａに容易に貫通した状態とすることができる。これにより、接続コネクタ４５を入出力用コネクタ１７ｃへ差し込んだ後に、スペーサ２１の貫通孔２１ａにハーネス４４を貫通させて、スペーサ２１をコネクタ・カバー部１８ｅの開口１８ｆに嵌め込み装着することもできるため、接続コネクタ４５を入出力用コネクタ１７ｃへ差し込む時にスペーサ２１が邪魔になることはない。
【００４６】
また、通路２１ｃはスペーサ２１の左下部に設けられているため、スペーサ２１の短手方向の幅を小さくすることによって、通路２１ｃの経路の長さを短くすることができる。これにより、通路２１ｃを設けることにより生じた不正行為が行われ得る隙間をほぼ無くすことができ、通路２１ｃからの不正行為を防止することができる。
【００４７】
また、開口１８ｆに設けられたスペーサ２１と、入出力用コネクタ１７ｃに接続された接続用コネクタ４５とが近接する構成としたため、接続用コネクタ４５と基板収納ケース１４の隙間からの不正行為を防止すると同時に、接続用コネクタ４５の取り外しが困難であるため、接続用コネクタ４５を取り外した場合にできる隙間からの不正行為を防止することができるという効果をより確実に発揮することができる。
【００４８】
（第１実施形態の変形例１）
次に図７を参照して第１実施形態の変形例１の基板収納ケース１４について説明する。第１実施形態の変形例１は、第１実施形態の図６に示す傾斜した通路を有するスペーサの代わりに、図７に示す垂直に伸びる通路を備えたスペーサを用いる。
【００４９】
上記第１実施形態では、傾斜した通路２１ｃがスペーサ２１の左下部に（貫通孔２１ａの周縁部左側中央部からスペーサ２１の周縁部左下部に向かって）設けられている。それに対して、実施形態１の変形例１では、通路２１ｃはスペーサ２１の下部に（貫通孔２１ａの周縁部下部からスペーサ２１の周縁部下部に向かって）設けられている。
【００５０】
図７は、スペーサ２１をハーネス４４に取り付ける手順を示した図である。該手順は、第１実施形態とほぼ同様に、先ずスペーサ２１の外部にあるハーネス４４を（図７（ａ）参照）、スペーサ２１の下部に設けられている通路２１ｃに挿入する。ここで、該通路２１ｃは、貫通孔２１ａの周縁部下部からスペーサ２１の周縁部下部に向かって設けられており、第１実施形態と同様にその通路幅２１ｄはハーネス４４の短手方向の幅４４ｃより少し大きく、ハーネス４４の短手方向の面４４ｃが辛うじて通過できる程度となっている。
【００５１】
ハーネス４４を通路２１ｃに挿入した後、通路２１ｃに沿ってハーネス４４をスライドさせる（図７（ｂ）参照）。そして、ハーネス４４を貫通孔２１ａに導き、ハーネス４４が貫通孔２１ａに貫通した状態となる（図７（ｃ）参照）。
【００５２】
また、スペーサ２１をハーネス４４から取り外す手順については、上記と逆の手順によって行われる。該取り外し手順は、スペーサ２１が開口１８ｆから取り外された状態で行われ（図７（ｃ）参照）、貫通孔２１ａに貫通しているハーネス４４を通路２１ｃに沿ってスライドさせ、スペーサ２１の外部に移動させることにより、スペーサ２１をハーネス４４から取り外すことができる（図７（ａ），（ｂ）参照）。なお、第１実施形態と同様に、スペーサ２１が開口１８ｆに装着されている状態では、スペーサ２１をハーネス４４から取り外すことはできない。
【００５３】
以上、本変形例においては、貫通孔２１ａの周縁部下部からスペーサ２１の周縁部下部に向かって通路２１ｃを設ける構成としているため、第１実施形態に比べて、ハーネス４４からのスペーサ２１の取り外しが容易となる。
【００５４】
（第１実施形態の変形例２）
次に図８を参照して第１実施形態の変形例２の基板収納ケース１４について説明する。第１実施形態の変形例２は、第１実施形態の図６の代わりに図８を用いる。
【００５５】
上記第１実施形態では、ハーネス４４へのスペーサ２１の取り付けおよび取り外しのために、スペーサ２１に通路２１ｃを設ける構成としているのに対して、実施形態１の変形例２では、スペーサ２１に通路２１ｃを設けない構成となっている。
【００５６】
図８は、スペーサ２１の平面図およびハーネス４４へのスペーサ２１の取り付け手順を示す図である。図８（ｄ）に示すように、第１実施形態と同様、スペーサ２１は中央部に方形の貫通孔２１ａを、上下両側端縁にフック部２１ｂを備えている。しかし、ハーネス４４へのスペーサ２１の取り付けおよび取り外しのための通路２１ｃは、スペーサ２１に設けられていない。このため、ハーネス４４へのスペーサ２１の取り付け（取り外し）は、以下のように行われる。即ち、入出力用コネクタ１７ｃへ接続される接続用コネクタ４５が、ハーネス４４の先端に備えられていない状態において（図８（ａ）参照）、該ハーネス４４の先端をスペーサ２１の貫通孔２１ａに貫通させることにより、スペーサ２１をハーネス４４に取り付ける（図８（ｂ）参照）。その後、ハーネス４４の先端に接続用コネクタ４５を取り付ける（図８（ｃ）参照）。なお、開口１８ｆへのスペーサ２１の装着および入出力用コネクタ１７ｃへの接続用コネクタ４５の接続は第１実施形態と同様である。
【００５７】
以上、本変形例においては、スペーサ２１に通路２１ｃを設けない構成としているため、通路２１ｃから行われ得る不正行為を防止することができる。さらに、上記構成において、開口１８ｆに設けられたスペーサ２１と入出力用コネクタ１７ｃに接続された接続用コネクタ４５とが密着している場合には、接続用コネクタ４５と基板収納ケース１４との間の不正行為を為し得る隙間を完全に無くすことが可能となる。これにより、接続用コネクタ４５と基板収納ケース１４の隙間からの基板への不正行為を無くすことができる。
【００５８】
（第２実施形態）
次に図９および図１０を参照して第２実施形態の基板収納ケース１１４について説明する。第２実施形態は、第１実施形態の図５および図６の代わりに図９および図１０を用いる。第１実施形態の構成要素に対応する本実施形態の構成要素の説明は、図中の符号を１００番台として説明を援用する。
【００５９】
上記第１実施形態では、個々の入出力用コネクタ１７ｃに対応させてコネクタ・カバー部１８ｅの上面に複数の開口１８ｆを開設し、該複数の開口１８ｆの各々に対してスペーサ２１を設ける構成としている。それに対して、第２実施形態では、コネクタ・カバー部１１８ｅの上面に、主基板１１７の一側に列設されている複数の入出力用コネクタ１１７ｃに対して、共通した１つの開口１１８ｆを開設し、該開口１１８ｆに対して、複数の入出力用コネクタ１１７ｃに共通した１つのスペーサ１２１を設ける構成としている。
【００６０】
図９（ａ）は、スペーサ１２１が開口１１８ｆから取り外され、接続用コネクタ１４５が入出力用コネクタ１１７ｃから取り外された状態を示し、図９（ｂ）は接続用コネクタ１４５を入出力用コネクタ１１７ｃに接続し、スペーサ１２１を開口１１８ｆに装着した状態を示している。
【００６１】
図９（ａ）に示すように、コネクタ・カバー部１１８ｅの上面には、主基板１１７の一側に列設されている複数の入出力用コネクタ１１７ｃに対して、共通した１つの開口１１８ｆが開設されている。ここで、開口１１８ｆの形状は方形でもよいし、それ以外の形状でもよい。
【００６２】
そして、開口１１８ｆに装着されるスペーサ１２１は、開口１１８ｆと対応して、複数の入出力用コネクタ１１７ｃに共通した１つの合成樹脂板となっている。また、スペーサ１２１には、各ハーネス１４４を貫通させる貫通孔１２１ａが、各ハーネス１４４の位置に対応する箇所に５つ設けられている（図１０参照）。該貫通孔１２１ａの開口面積は、第１実施形態と同様、対応する接続用コネクタ１４５のハウジング１４５ｂにおける長手方向の断面積よりも小さく、対応する接続用コネクタ１４５のハーネス１４４における該方向の断面積よりも大きくなっている。なお、各貫通孔１２１ａの形状は方形であるが、対応する各接続用コネクタ１４５およびハーネス１４４毎に異なる形状となっている（図１０参照）。
【００６３】
さらに、スペーサ１２１の上下両側端縁には、第１実施形態と同様、先端が矢じり型のフック部１２１ｂを備えている。これにより、スペーサ１２１を開口１１８ｆに装着した場合には（図９（ｂ）参照）、基板収納ケース１１４の外部からスペーサ１２１の取り外しを行うことができないようにしている。
【００６４】
また、スペーサ１２１左部には、ハーネス１４４の接続の際にハーネス１４４を通過させる通路１２１ｃが５つ設けられている。該通路１２１ｃは各貫通孔１２１ａにそれぞれ設けられており、各通路１２１ｃの開設位置は各ハーネス１４４の接続が容易となるように夫々配置されている。例えば、スペーサ１２１の最上部の貫通孔１２１ａに設けられた通路１２１ｃは、該貫通孔１２１ａの周縁部左側中央部から横へスペーサ１２１外部に向かって設けられている。また、スペーサ１２１最下部の貫通孔１２１ａに設けられた通路１２１ｃは、該貫通孔１２１ａの周縁部左側下部から左下へスペーサ１２１外部に向かって設けられている。ここで、各通路１２１ｃの開設位置は、各ハーネス１４４とスペーサ１２１との取り付けが可能となれば上記箇所に限定されない。また、スペーサ１２１および接続用コネクタ１４５の取り外し手順は、第１実施形態と同様である（図５，６参照）。
【００６５】
以上、本実施形態においては、複数の入出力用コネクタ１１７ｃに対し共通した１つのスペーサ１２１を、開口１１８ｆに設ける構成としているため、入出力用コネクタ１１７ｃの個数の変更、型式の変更（主基板１１７の変更）を行う場合には、基板収納ケース１１４を変更する必要はなく、スペーサ１２１のみの変更で行うことができる。
【００６６】
また、１つのスペーサ１２１を開口１１８ｆに設ける構成としているため、複数の開口１８ｆにスペーサ２１を夫々設ける構成と比べ、開口１１８ｆからのスペーサ１２１の取り外しが容易となり、また部品点数を少なくすることができる。
【００６７】
（第３実施形態）
次に図１１を参照して第３実施形態の基板収納ケース２１４について説明する。第３実施形態は、第１実施形態の図５の代わりに図１１を用いる。第１実施形態の構成要素に対応する本実施形態の構成要素の説明は、図中の符号を２００番台として説明を援用する。
【００６８】
上記第１実施形態では、スペーサ２１を開口１８ｆに固定する手段として、スペーサ２１に先端が矢じり型のフック部２１ｂを備えて装着するスナップフィット接合を採用している。それに対して、第３実施形態では、スペーサ２２１を開口２１８ｆに固定する手段として、ねじ締結を採用している。
【００６９】
図１１は、接続用コネクタ２４５およびスペーサ２２１の構造及び取り付け手順を示す図である。図１１（ａ）に示すように、コネクタ・カバー部２１８ｅの開口２１８ｆ周縁部分には開口２１８ｆに向かって突出する段部２１８ｈが備えられ、該段部２１８ｈにはねじ２１９ａを螺諦するためのねじ孔２１９ｂが設けられている。また、スペーサ２２１は平面板となっており、スペーサ２２１の上下両側端縁にはねじ２１９ａを螺諦するためのねじ孔２１９ｃが設けられている。なお、第１実施形態と同様に、スペーサ２２１の中央部には貫通孔２２１ａが、スペーサ２２１の左下部には通路２２１ｃが備えられている。
【００７０】
そして、先ず接続用コネクタ２４５を入出力用コネクタ２１７ｃに接続する（図１１（ｂ）参照）。続いてスペーサ２２１を段部２１８ｈに当て嵌め、ねじ孔２１９ｂ，２１９ｃにねじ２１９ａを螺諦することにより、スペーサ２２１を段部２１８ｈに固定する（開口２１８ｆに装着する）（図１１（ｃ）参照）。
【００７１】
また、接続用コネクタ２４５を入出力用コネクタ２１７ｃから取り外すためには、上記と逆の手順を行う。即ち、先ず、ねじ孔２１９ｂ，２１９ｃに螺諦されているねじ２１９ａを基板収納ケース２１４の外部２１４ａから外し、スペーサ２２１を段部２１８ｈから取り外す（開口２１８ｆから取り外す）（図１１（ｂ）参照）。そして、接続用コネクタ２４５を入出力用コネクタ２１７ｃから取り外す（図１１（ａ）参照）。なお、第２実施形態と同様に、コネクタ・カバー部２１８ｅの上面に、主基板２１７の一側に列設されている複数の入出力用コネクタ２１７ｃに対して、共通した１つの開口２１８ｆを開設し、該開口２１８ｆに対して、複数の入出力用コネクタ２１７ｃに対し共通した１つのスペーサ２２１を設ける構成としてもよい。
【００７２】
以上、本実施形態においては、スペーサ２２１を開口２１８ｆ（段部２１８ｈ）から取り外すことによって、接続用コネクタ２４５が入出力用コネクタ２１７ｃから取り外し可能となり、さらにスペーサ２２１を開口２１８ｆ（段部２１８ｈ）にねじ締結によって固定する構成としたため、接続用コネクタ２４５を入出力用コネクタ２１７ｃから取り外すために要する時間がより長くなる。そのため、接続用コネクタ２４５を取り外すことによって行われる不正行為、即ち接続用コネクタ２４５を取り外した場合にできる隙間からの不正行為を抑制することができる。
【００７３】
（第３実施形態の変形例１）
次に図１２を参照して第３実施形態の変形例１の基板収納ケース２１４について説明する。上記第３実施形態では、スペーサ２２１とコネクタ・カバー部２１８ｅを固定しているねじ２１９ａの取り外しは、基板収納ケース２１４の外部２１４ａから行われる構成としている。それに対して、本変形例では、スペーサ２２１とコネクタ・カバー部２１８ｅを固定しているねじ２１９ａの取り外しは、基板収納ケース２１４の内側２１４ｂから行われる構成としている。
【００７４】
図１２は、接続用コネクタ２４５およびスペーサ２２１の構成及び取り付け手順を示す図である。図１２（ａ）に示すように、第３実施形態と同様、コネクタ・カバー部２１８ｅの開口２１８ｆ周縁部分には段部２１８ｈが備えられ、該段部２１８ｈにねじ孔２１９ｂが設けられている。また、スペーサ２２１は平面板となっており、スペーサ２２１の上下両側端縁にはねじ孔２１９ｃが設けられている。ここで、ねじ孔２１９ｂ，２１９ｃは基板収納ケース２１４の内側２１４ｂからねじ２１９ａを螺諦できる向きに設けられている。
【００７５】
そして、先ず接続用コネクタ２４５を、開口２１８ｆを介して基板収納ケース２１４の内側２１４ｂに導き、スペーサ２２１を段部２１８ｈに当て嵌める。そして、基板収納ケース２１４の内側２１４ｂからねじ２１９ａをねじ孔２１９ｂ，２１９ｃに螺諦することにより、スペーサ２２１を段部２１８ｈに固定する（開口２１８ｆに装着する）（図１２（ｂ）参照）。続いて、接続用コネクタ２４５を入出力用コネクタ２１７ｃに接続する（図１２（ｃ）参照）。
【００７６】
また、接続用コネクタ２４５を入出力用コネクタ２１７ｃから取り外すためには、上記と逆の手順を行う。具体的には、先ず、封印部材を破損して密封を解除し、台板とカバー体とを開封する（図示略）。次に、コネクタ・カバー部２１８ｅと主基板２１７とを引き離しながら、接続用コネクタ２４５を入出力用コネクタ２１７ｃから取り外す（図１２（ｂ）参照）。その後、基板収納ケースの内側２１４ｂからねじ２１９ａを外すことにより、スペーサ２２１をコネクタ・カバー部２１８ｅから取り外す（図１２（ａ）参照）。
【００７７】
以上、本変形例においては、スペーサ２２１を開口２１８ｆ（段部２１８ｈ）にねじ締結によって固定し、スペーサ２２１とコネクタ・カバー部２１８ｅを固定しているねじ２１９ａの取り外しを、基板収納ケースの内側２１４ｂから行う構成としているため、接続用コネクタ２４５を入出力用コネクタ２１７ｃから取り外すためには封印部材を破損して密封を解除する必要がある。このため、第３実施形態の構成に比べ、接続用コネクタ２４５を入出力用コネクタ２１７ｃから取り外すために要する時間がより一層長くなり、接続用コネクタ２４５を取り外すことによって行われる不正行為をより抑制することができる。また、密封部材が解除された（切られた）痕跡が残るため、不正行為が行われたことを早期に発見することができる。
【００７８】
尚、本発明は、上述の実施の形態に限定されるものではなく、本発明の技術的思想を逸脱しない範囲に於いて、改変等を加えることが出来るものであり、それらの改変、均等物等も本発明の技術的範囲に含まれることとなる。
【図面の簡単な説明】
【００７９】
【図１】本発明が適用されるパチンコ遊技機の裏面図である。
【図２】基板収納ケース１４の斜視図である。
【図３】基板収納ケース１４の分解斜視図である。
【図４】（ａ）基板収納ケース１４の入出力用コネクタ１７ｃおよび接続用コネクタ４５の断面図、（ｂ）スペーサ２１とコネクタ４５の平面図である。
【図５】第１実施形態に係る接続用コネクタ４５およびスペーサ２１の取り付け手順を示す入出力用コネクタ１７ｃおよび接続用コネクタ４５の断面図である。
【図６】第１実施形態に係るスペーサ２１の取り付け手順を示すスペーサ２１の平面図および側面図である。
【図７】第１実施形態の変形例１に係るスペーサ２１の取り付け手順を示すスペーサ２１の平面図および側面図である。
【図８】第１実施形態の変形例２に係るスペーサ２１の取り付け手順を示すスペーサ２１の側面図および平面図である。
【図９】第２実施形態に係る入出力用コネクタ１１７ｃおよび接続用コネクタ１４５の断面図である。
【図１０】第２実施形態に係るスペーサ１２１の平面図および側面図である。
【図１１】第３実施形態に係る接続用コネクタ２４５およびスペーサ２２１の取り付け手順を示す入出力用コネクタ２１７ｃおよび接続用コネクタ２４５の断面図である。
【図１２】第３実施形態の変形例１に係る接続用コネクタ２４５およびスペーサ２２１の取り付け手順を示す入出力用コネクタ２１７ｃおよび接続用コネクタ２４５の断面図である。
【図１３】従来の基板収納ケースの入出力用コネクタ２８および接続用コネクタ４５の断面図である。
【符号の説明】
【００８０】
１４・・・基板収納ケース １６・・・台板
１６ｄ，１８ｃ・・・封印部材 １７・・・主基板
１７ｃ・・・入出力用コネクタ １８・・・カバー体
１８ｅ・・・コネクタ・カバー部 １８ｆ・・・開口
１８ｇ・・・固定ねじ ２１・・・スペーサ
２１ａ・・・貫通孔 ２１ｂ・・・フック部
２１ｃ・・・通路 ４４・・・ハーネス
４５・・・接続用コネクタ ２１９ａ・・・ねじ
２１９ｂ，２１９ｃ・・・ねじ孔
【図１】
2006212063.tif 000003
【図２】
2006212063.tif 000004
【図３】
2006212063.tif 000005
【図４】
2006212063.tif 000006
【図５】
2006212063.tif 000007
【図６】
2006212063.tif 000008
【図７】
2006212063.tif 000009
【図８】
2006212063.tif 000010
【図９】
2006212063.tif 000011
【図１０】
2006212063.tif 000012
【図１１】
2006212063.tif 000013
【図１２】
2006212063.tif 000014
【図１３】
2006212063.tif 000015